(57)【要約】【課題】スキャナに対する原稿の方向について、多少のズレや斜行が発生した場合、送信可否を判定した後、ＦＡＸ送信を行う画像処理システム、画像処理装置、制御方法、及びプログラムを提供する。【解決手段】原稿を読み取った際に、読取不可と見做されても原稿から得られたデータを送信可能とする原稿に対する位置を示すエラー除外情報を生成し、紙文書１１７の裏面の４隅に送信先情報及び当該エラー除外情報を含むＱＲコードを付しておき、ＦＡＸ送信時に、ＱＲコードが付された紙文書１１７の両面をスキャナ１１８で読取り、読取り得られた送信用画像ファイルの裏面に付されたＱＲコードを解析し、多少のズレや斜行が発生の発生によってＱＲコードの読取エラーが発生した場合、エラーが発生したＱＲコードの位置及びエラー除外情報に基づいて、送信可否を判定する。【選択図】図２
2012105148.tif 000002
【特許請求の範囲】
【請求項１】
原稿を読取りデータへ変換する読取部と前記読取部によって読取り変換されたデータを送信する送信部とデータの印刷を行う印刷部とを備えた画像処理装置と、前記データの解析を行う情報処理装置とを含む画像処理システムにおいて、
前記情報処理装置は、
前記読取部によって原稿を読み取った後、読取不可となっても前記原稿から得られたデータを前記送信部によって送信可能とする前記原稿に対する位置を示すエラー除外情報を作成するエラー除外情報作成手段と、
前記読取部によって読み取られた原稿から得られたデータに対してそれぞれ異なる位置に前記エラー除外情報作成手段によって作成したエラー除外情報を付する配置手段と、
前記印刷部によって印刷された前記エラー除外情報が付された原稿を前記読取部によって読取ることで、前記原稿から前記エラー除外情報を読取る読取手段と、
前記読取手段によって前記エラー除外情報が読取不可となった場合、読取可となった前記エラー除外情報と読取不可となった前記エラー除外情報の位置とから、前記原稿から得られるデータの前記送信部による送信可否を判定する送信可否判定手段と、
を備えたことを特徴とする画像処理システム。
【請求項２】
前記配置手段は、原稿の読取開始位置からの距離がそれぞれ異なる位置に前記原稿から得られたデータに対してエラー除外情報を配置することを特徴とする請求項１に記載の画像処理システム。
【請求項３】
前記配置手段は、原稿の読取開始位置からの距離が同じ位置に前記原稿から得られたデータに対してエラー除外情報を配置することを特徴とする請求項１または２に記載の画像処理システム。
【請求項４】
前記配置手段は、原稿の４隅に前記原稿から得られたデータに対してエラー除外情報を配置することを特徴とする請求項１乃至３の何れか１項に記載の画像処理システム。
【請求項５】
前記配置手段は、原稿から得られたデータに対して前記原稿の裏面にエラー除外情報を配置することを特徴とする請求項１乃至４の何れか１項に記載の画像処理システム。
【請求項６】
原稿を読取りデータへ変換する読取部と前記読取部によって読取り変換されたデータを送信する送信部とデータの印刷を行う印刷部とを備えた画像処理装置において、
前記読取部によって原稿を読み取った際に、読取不可となっても前記原稿から得られたデータを前記送信部によって送信可能とする前記原稿に対する位置を示すエラー除外情報を作成するエラー除外情報作成手段と、
前記読取部によって読み取られた原稿から得られたデータに対してそれぞれ異なる位置に前記エラー除外情報作成手段によって作成したエラー除外情報を付する配置手段と、
前記印刷部によって印刷された前記エラー除外情報が付された原稿を前記読取部によって読取ることで、前記原稿から前記エラー除外情報を読取る読取手段と、
前記読取手段によって前記エラー除外情報が読取不可となった場合、読取可となった前記エラー除外情報と読取不可となった前記エラー除外情報の位置とから、前記原稿から得られるデータの前記送信部による送信可否を判定する送信可否判定手段と、
を備えたことを特徴とする画像処理装置。
【請求項７】
原稿を読取りデータへ変換する読取部と前記読取部によって読取り変換されたデータを送信する送信部とデータの印刷を行う印刷部とを備えた画像処理装置と、前記データの解析を行う情報処理装置とを含む画像処理システムの制御方法において、
前記情報処理装置は、
前記読取部によって原稿を読み取った際に、読取不可となっても前記原稿から得られたデータを前記送信部によって送信可能とする前記原稿に対する位置を示すエラー除外情報を作成するエラー除外情報作成ステップと、
前記読取部によって読み取られた原稿から得られたデータに対してそれぞれ異なる位置に前記エラー除外情報作成ステップによって作成したエラー除外情報を付する配置ステップと、
前記印刷部によって印刷された前記エラー除外情報が付された原稿を前記読取部によって読取ることで、前記原稿から前記エラー除外情報を読取る読取ステップと、
前記読取ステップによって前記印刷部によって印刷された前記エラー除外情報が付された原稿を読取り、前記エラー除外情報が読取不可となった場合、読取可となった前記エラー除外情報と読取不可となった前記エラー除外情報の位置とから、前記原稿から得られるデータの前記送信部による送信可否を判定する送信可否判定ステップと、
を実行することを特徴とする画像処理システムの制御方法。
【請求項８】
原稿を読取りデータへ変換する読取部と前記読取部によって読取り変換されたデータを送信する送信部とデータの印刷を行う印刷部とを備えた画像処理装置の制御方法において、
前記読取部によって原稿を読み取った際に、読取不可となっても前記原稿から得られたデータを前記送信部によって送信可能とする前記原稿に対する位置を示すエラー除外情報を作成するエラー除外情報作成ステップと、
前記読取部によって読み取られた原稿から得られたデータに対してそれぞれ異なる位置に前記エラー除外情報作成ステップによって作成したエラー除外情報を付する配置ステップと、
前記印刷部によって印刷された前記エラー除外情報が付された原稿を前記読取部によって読取ることで、前記原稿から前記エラー除外情報を読取る読取ステップと、
前記読取ステップによって前記エラー除外情報が読取不可となった場合、読取可となった前記エラー除外情報と読取不可となった前記エラー除外情報の位置とから、前記原稿から得られるデータの前記送信部による送信可否を判定する送信可否判定ステップと、
を実行することを特徴とする画像処理装置の制御方法。
【請求項９】
原稿を読取りデータへ変換する読取部と前記読取部によって読取り変換されたデータを送信する送信部とデータの印刷を行う印刷部とを備えた画像処理装置と、前記データの解析を行う情報処理装置とを含む画像処理において実行されるプログラムであって、
前記情報処理装置を、
前記読取部によって原稿を読み取った際に、読取不可となっても前記原稿から得られたデータを前記送信部によって送信可能とする前記原稿に対する位置を示すエラー除外情報を作成するエラー除外情報作成手段と、
前記読取部によって読み取られた原稿から得られたデータに対してそれぞれ異なる位置に前記エラー除外情報作成手段によって作成したエラー除外情報を付する配置手段と、
前記印刷部によって印刷された前記エラー除外情報が付された原稿を前記読取部によって読取ることで、前記原稿から前記エラー除外情報を読取る読取手段と、
前記読取手段によって前記エラー除外情報が読取不可となった場合、読取可となった前記エラー除外情報と読取不可となった前記エラー除外情報の位置とから、前記原稿から得られるデータの前記送信部による送信可否を判定する送信可否判定手段と、
して機能させることを特徴とするプログラム。
【請求項１０】
原稿を読取りデータへ変換する読取部と前記読取部によって読取り変換されたデータを送信する送信部とデータの印刷を行う印刷部とを備えた画像処理装置において実行されるプログラムであって、
前記読取部によって原稿を読み取った際に、読取不可となっても前記原稿から得られたデータを前記送信部によって送信可能とする前記原稿に対する位置を示すエラー除外情報を作成するエラー除外情報作成手段と、
前記読取部によって読み取られた原稿から得られたデータに対してそれぞれ異なる位置に前記エラー除外情報作成手段によって作成したエラー除外情報を付する配置手段と、
前記印刷部によって印刷された前記エラー除外情報が付された原稿を前記読取部によって読取ることで、前記原稿から前記エラー除外情報を読取る読取手段と、
前記読取手段によって前記エラー除外情報が読取不可となった場合、読取可となった前記エラー除外情報と読取不可となった前記エラー除外情報の位置とから、前記原稿から得られるデータの前記送信部による送信可否を判定する送信可否判定手段と、
して機能させることを特徴とするプログラム。
【発明の詳細な説明】
【技術分野】
【０００１】
本発明は、ＦＡＸ送信する際に適切な送信用データを送信制御する画像処理システム、画像処理装置、制御方法、及びプログラムに関する。
【背景技術】
【０００２】
従来、紙出力された帳票に手書きでコメントを記入後、ＦＡＸ装置にて帳票をスキャンして得られたデータを送信する際に、誤送信を防ぐ方法として、予め帳票に送信元のＦＡＸ番号をＯＣＲ用のフォントやバーコード等で印字し、送信時にこれらを読取り、読取ったＦＡＸ番号が適切であるか否かを判定することで、誤送信を防止する方法が考えられている。
【０００３】
また、昨今、ＦＡＸ装置に備えられたスキャナの紙搬送ローラー等の劣化に起因するようなスキャナに対する帳票のスキャン方向についての多少のズレ及び斜行が発生した場合でも、ＯＣＲエンジンの認識率向上によりＦＡＸ番号の認識に成功し、正常にデータが送信先へ送信されるようになった。
【０００４】
しかしながら、重要な情報が帳票の端に書かれていた場合は、その文字が欠落した状態で帳票がスキャンされ、データが送信先へ送信されてしまうといった問題が生じているが、ＯＣＲ認識の閾値を上げると、スキャナに対する帳票のスキャン方向について、多少ズレが発生していても問題無いデータもエラーとなり、結果としてＯＣＲ処理におけるエラー発生率が高くなり、再スキャンして、データを送信するというユーザオペレーションが増え、ユーザに負担がかかる。
【０００５】
この問題に対して、ＦＡＸ送信の有効領域外にＦＡＸ送信すべき内容が記述されている場合は、自動縮小することで、全ての印字領域をＦＡＸ送信する技術が開示されている（例えば、特許文献１ご参照）。
【先行技術文献】
【特許文献】
【０００６】
【特許文献１】特開平５−３００３３４号公報
【発明の概要】
【発明が解決しようとする課題】
【０００７】
しかしながら、特許文献１に開示されている技術では、小さいフォントや細い罫線等で記述された文字などが縮小されることにより、ＦＡＸ装置に於いてＦＡＸ受信し紙出力された媒体を受け取ったユーザが判別できなくなる可能性がある。
【０００８】
また、自動縮小するための画像処理をＦＡＸ装置へ実装する必要があり、その分の開発及び運用コスト等がかかるといった問題が生じる。
【０００９】
つまり、自動縮小せずに文字の欠落を抑制してＦＡＸ送信を行うには、ＦＡＸ装置のＯＣＲ認識の閾値を上げることが考えられるが、前述した通り、スキャナに対する帳票のスキャン方向について、多少ズレが発生していても問題無いデータもエラーとなり、結果としてＯＣＲ処理におけるエラー発生率が高くなり、再スキャンして、データを送信するというユーザオペレーションが増え、ユーザに負担がかかる。
【００１０】
本発明では、上記問題を解決するためになされたものであり、スキャナに対する帳票のスキャン方向について、多少のズレ及び斜行が発生した場合でも、問題と見做されないデータについては送信先へ送信することで、ユーザのＦＡＸ送信時の作業負担を軽減することが可能となる画像処理システム、画像処理装置、制御方法、及びプログラムを提供することを目的とする。
【課題を解決するための手段】
【００１１】
上記目的を達成するための第１の発明は、原稿を読取りデータへ変換する読取部と前記読取部によって読取り変換されたデータを送信する送信部とデータの印刷を行う印刷部とを備えた画像処理装置と、前記データの解析を行う情報処理装置とを含む画像処理システムにおいて、前記情報処理装置は、前記読取部によって原稿を読み取った後、読取不可となっても前記原稿から得られたデータを前記送信部によって送信可能とする前記原稿に対する位置を示すエラー除外情報を作成するエラー除外情報作成手段と、前記読取部によって読み取られた原稿から得られたデータに対してそれぞれ異なる位置に前記エラー除外情報作成手段によって作成したエラー除外情報を付する配置手段と、前記印刷部によって印刷された前記エラー除外情報が付された原稿を前記読取部によって読取ることで、前記原稿から前記エラー除外情報を読取る読取手段と、前記読取手段によって前記エラー除外情報が読取不可となった場合、読取可となった前記エラー除外情報と読取不可となった前記エラー除外情報の位置とから、前記原稿から得られるデータの前記送信部による送信可否を判定する送信可否判定手段と、を備えたことを特徴とする。
【００１２】
上記目的を達成するための第２の発明は、原稿を読取りデータへ変換する読取部と前記読取部によって読取り変換されたデータを送信する送信部とデータの印刷を行う印刷部とを備えた画像処理装置において、前記読取部によって原稿を読み取った際に、読取不可となっても前記原稿から得られたデータを前記送信部によって送信可能とする前記原稿に対する位置を示すエラー除外情報を作成するエラー除外情報作成手段と、前記読取部によって読み取られた原稿から得られたデータに対してそれぞれ異なる位置に前記エラー除外情報作成手段によって作成したエラー除外情報を付する配置手段と、前記印刷部によって印刷された前記エラー除外情報が付された原稿を前記読取部によって読取ることで、前記原稿から前記エラー除外情報を読取る読取手段と、前記読取手段によって前記エラー除外情報が読取不可となった場合、読取可となった前記エラー除外情報と読取不可となった前記エラー除外情報の位置とから、前記原稿から得られるデータの前記送信部による送信可否を判定する送信可否判定手段と、を備えたことを特徴とする。
【００１３】
上記目的を達成するための第３の発明は、原稿を読取りデータへ変換する読取部と前記読取部によって読取り変換されたデータを送信する送信部とデータの印刷を行う印刷部とを備えた画像処理装置と、前記データの解析を行う情報処理装置とを含む画像処理システムの制御方法において、前記情報処理装置は、前記読取部によって原稿を読み取った際に、読取不可となっても前記原稿から得られたデータを前記送信部によって送信可能とする前記原稿に対する位置を示すエラー除外情報を作成するエラー除外情報作成ステップと、  前記読取部によって読み取られた原稿から得られたデータに対してそれぞれ異なる位置に前記エラー除外情報作成ステップによって作成したエラー除外情報を付する配置ステップと、前記印刷部によって印刷された前記エラー除外情報が付された原稿を前記読取部によって読取ることで、前記原稿から前記エラー除外情報を読取る読取ステップと、前記読取ステップによって前記印刷部によって印刷された前記エラー除外情報が付された原稿を読取り、前記エラー除外情報が読取不可となった場合、読取可となった前記エラー除外情報と読取不可となった前記エラー除外情報の位置とから、前記原稿から得られるデータの前記送信部による送信可否を判定する送信可否判定ステップと、を実行することを特徴とする。
【００１４】
上記目的を達成するための第４の発明は、原稿を読取りデータへ変換する読取部と前記読取部によって読取り変換されたデータを送信する送信部とデータの印刷を行う印刷部とを備えた画像処理装置の制御方法において、前記読取部によって原稿を読み取った際に、読取不可となっても前記原稿から得られたデータを前記送信部によって送信可能とする前記原稿に対する位置を示すエラー除外情報を作成するエラー除外情報作成ステップと、前記読取部によって読み取られた原稿から得られたデータに対してそれぞれ異なる位置に前記エラー除外情報作成ステップによって作成したエラー除外情報を付する配置ステップと、前記印刷部によって印刷された前記エラー除外情報が付された原稿を前記読取部によって読取ることで、前記原稿から前記エラー除外情報を読取る読取ステップと、前記読取ステップによって前記エラー除外情報が読取不可となった場合、読取可となった前記エラー除外情報と読取不可となった前記エラー除外情報の位置とから、前記原稿から得られるデータの前記送信部による送信可否を判定する送信可否判定ステップと、  を実行することを特徴とする。
【００１５】
上記目的を達成するための第５の発明は、  原稿を読取りデータへ変換する読取部と前記読取部によって読取り変換されたデータを送信する送信部とデータの印刷を行う印刷部とを備えた画像処理装置と、前記データの解析を行う情報処理装置とを含む画像処理において実行されるプログラムであって、前記情報処理装置を、前記読取部によって原稿を読み取った際に、読取不可となっても前記原稿から得られたデータを前記送信部によって送信可能とする前記原稿に対する位置を示すエラー除外情報を作成するエラー除外情報作成手段と、前記読取部によって読み取られた原稿から得られたデータに対してそれぞれ異なる位置に前記エラー除外情報作成手段によって作成したエラー除外情報を付する配置手段と、前記印刷部によって印刷された前記エラー除外情報が付された原稿を前記読取部によって読取ることで、前記原稿から前記エラー除外情報を読取る読取手段と、前記読取手段によって前記エラー除外情報が読取不可となった場合、読取可となった前記エラー除外情報と読取不可となった前記エラー除外情報の位置とから、前記原稿から得られるデータの前記送信部による送信可否を判定する送信可否判定手段と、して機能させることを特徴とする。
【００１６】
上記目的を達成するための第６の発明は、原稿を読取りデータへ変換する読取部と前記読取部によって読取り変換されたデータを送信する送信部とデータの印刷を行う印刷部とを備えた画像処理装置において実行されるプログラムであって、前記読取部によって原稿を読み取った際に、読取不可となっても前記原稿から得られたデータを前記送信部によって送信可能とする前記原稿に対する位置を示すエラー除外情報を作成するエラー除外情報作成手段と、前記読取部によって読み取られた原稿から得られたデータに対してそれぞれ異なる位置に前記エラー除外情報作成手段によって作成したエラー除外情報を付する配置手段と、前記印刷部によって印刷された前記エラー除外情報が付された原稿を前記読取部によって読取ることで、前記原稿から前記エラー除外情報を読取る読取手段と、前記読取手段によって前記エラー除外情報が読取不可となった場合、読取可となった前記エラー除外情報と読取不可となった前記エラー除外情報の位置とから、前記原稿から得られるデータの前記送信部による送信可否を判定する送信可否判定手段と、して機能させることを特徴とする。
【発明の効果】
【００１７】
本発明によれば、ＦＡＸ送信時にスキャンされた帳票に対するＯＣＲ処理の結果、スキャナに対する帳票の方向について、多少のズレや斜行が発生した場合でも、多少のズレや斜行が発生した位置に応じて送信可否を判定した結果に基づいてＦＡＸ送信を行うことで、ユーザのＦＡＸ送信時の作業負担を軽減することが可能となる。
【図面の簡単な説明】
【００１８】
【図１】本発明の実施形態に係る画像処理システムの概略構成を示すと共に、ＦＡＸ受信時の流れを示す構成図である。
【図２】本発明の実施形態に係る画像処理システムの概略構成を示すと共に、ＦＡＸ送信時の流れを示す構成図である。
【図３】本発明の実施形態に係るＦＡＸサーバのハードウェア構成を示すブロック図である。
【図４】本発明の実施形態に係る複合機のハードウェア構成を示すブロック図である。
【図５】本発明の実施形態に於いて、ＦＡＸ受信の処理手順を示すフローチャートである。
【図６】本発明の実施形態に於いて、ＦＡＸ送信の処理手順を示すフローチャートである。
【図７】本発明の実施形態に於いて、ＦＡＸ送信時におけるＦＡＸ送信可否の判定処理を示すフローチャートである。
【図８】本発明の実施形態に於いて、スキャナに対する帳票の方向について、多少のズレや斜行が発生した場合でも、送信しても良い例を説明するための説明図である。
【図９】本発明の実施形態に於いて、スキャナに対する帳票の方向について、多少のズレや斜行が発生した場合、送信して悪い例を説明するための説明図である。
【図１０】本発明の実施形態に於いて、帳票の送信面にＱＲコードを印字するパターン例を示すことを説明するための説明図である。
【図１１】本発明の実施形態に於いて、帳票に印字されるＱＲコードに含まれる情報を説明するための説明図である。
【図１２】本発明の実施形態に於いて、帳票に対するＱＲコードの印字位置を記憶するテーブルの構成を示す構成図である。
【図１３】本発明の実施形態に於いて、ＯＣＲ認識エラーとなったＱＲコードの位置に応じて、エラーとすべきか否かを判定するための情報を記憶するファイルの構成を示す構成図である。
【図１４】本発明の実施形態に於いて、ＱＲコードのＯＣＲ認識結果を記憶するファイルの構成を示すと共に、４箇所に印字されたＱＲコードのＯＣＲ認識が成功した例を示す構成図である。
【図１５】本発明の実施形態に於いて、ＱＲコードのＯＣＲ認識結果を記憶するファイルの構成を示すと共に、上段には、右上及び左上に印字されたＱＲコードのＯＣＲ認識がエラーとなった例を示しており、下段には、右下及び左下に印字されたＱＲコードのＯＣＲ認識がエラーとなった例を示す構成図である。
【図１６】本発明の実施形態に於いて、ＦＡＸ受信した画像ファイルの格納（記憶）先等を示す属性ファイルの構成を示す構成図である。
【図１７】本発明の実施形態に於いて、ＦＡＸ送信した画像ファイルの格納（記憶）先等を示す属性ファイルの構成を示す図である。
【図１８】本発明の実施形態に於いて、代理店からＦＡＸ送信されたデータであるか否かを判定するための代理店情報を記憶するためのテーブルの構成を示す構成図である。
【図１９】本発明の実施形態に於いて、ＦＡＸ送信時の送信用データの裏面に印字する際に利用するテンプレートのイメージを示す構成図である。
【発明を実施するための形態】
【００１９】
以下、図面を参照して、本発明の実施形態を詳細に説明する。本発明が実施される具体的な例として、保険の契約等の申込書を代理店からＦＡＸ受信し、ＦＡＸ受信した申込書に対して受領印を押下して受領通知として、または不備があった場合は、ＦＡＸ受信した申込書に対して不備内容を手書きでコメントして不備通知として、申込書をＦＡＸ返信する業務を例に説明する。
【００２０】
図１は、本発明の実施形態に係る画像処理システムの概略的な構成を示す図であり、代理店からのＦＡＸ受信時のデータの流れを示している。尚、図１のネットワーク上に接続される各種端末の構成は一例であり、用途や目的に応じて様々な構成例があることは言うまでもない。
【００２１】
この画像処理システムでは、代理店からＦＡＸ送信されたＦＡＸデータ１００を複合機１０２のＦＡＸ受信部１０４で受信して電子データに変換を行った後、送信元ＦＡＸ番号と受信し変換を行った電子データを記憶した画像ファイルのファイル名（記憶先を含む）を記述したテキストファイル（以下、受信属性ファイル。図１６参照）と画像ファイル（以下、受信画像ファイル）と、をＦＡＸ受信データ送信部１０６によって、ＬＡＮアダプタ３０４とＦＡＸサーバ１０８のＬＡＮアダプタ２０４とを介して、ＦＡＸサーバ１０８のＦＡＸ受信データ保存フォルダ１１０に送信する。
【００２２】
ＦＡＸサーバ１０８において常時起動している印刷アプリケーション１１２は、ＦＡＸ受信データ保存フォルダ１１０に受信属性ファイル及び受信画像ファイルが格納（記憶）されたことを検知した時点で（ＯＳからのイベント通知等のよって検知）、送信された受信属性ファイルから送信元ＦＡＸ番号１６０１を読取り、送信元ＦＡＸ番号１６０１が代理店マスタ１１４に登録されているＦＡＸ番号１８０２か否かをチェックする。
【００２３】
送信元ＦＡＸ番号１６０１が登録されていなかった場合は、受信面のみをプリンタドライバ１１６を介して複合機１０２に印刷する。送信元ＦＡＸ番号１６０１が登録されている場合は、代理店マスタ１１４から受信した送信元ＦＡＸ番号１６０１に該当するＦＡＸ番号１８０２に対応する代理店名１８０１を取得し、表面に受信画像ファイルに記憶された情報を、裏面に送信元ＦＡＸ番号１６０１、代理店名１８０１、及びＱＲコード（ＱＲコードの含まれる情報は、図１１参照）を４箇所（出力する用紙の４隅に印字されるように）に配置して、プリンタドライバ１１６を経由で、複合機１０２にて用紙（紙文書１１７）に印刷する（QRコードが配置された紙文書１１７については、図１０参照）。
【００２４】
尚、ＱＲコードの配置位置については、紙文書１１７に対してそれぞれ異なる位置に２つ以上のＱＲコードを配置すればよく、必ず読取りが成功しなければならない箇所等の用途を考慮して配置しても良い。
【００２５】
例えば、紙文書１１７の読取開始位置からの距離がそれぞれ異なる位置にＱＲコードをそれぞれ配置しても良いし、紙文書１１７の読取開始位置からの距離が同じ位置にＱＲコードをそれぞれ配置しても良い。
【００２６】
更に、紙文書１１７の読取開始位置からの距離がそれぞれ異なる位置にＱＲコードをそれぞれ配置しつつ、紙文書１１７の読取開始位置からの距離が同じ位置にＱＲコードをそれぞれ配置しても良い。
【００２７】
図２は、本発明の実施形態に係る画像処理システムの概略的な構成を示す図であり、代理店からのＦＡＸ受信時のデータの流れを示している。尚、図２のネットワーク上に接続される各種端末の構成は一例であり、用途や目的に応じて様々な構成例があることは言うまでもない。
【００２８】
この画像処理システムでは、図１に示す複合機１０２にて印刷された紙文書１１７に対して、受領通知のために人手によって受領印を押下、あるいはコメントを手書きで記入し、記入済みの紙文書１１７の両面を複合機１０２のスキャナ１１８で読取り、入力処理部１２０において電子データに変換して生成した画像ファイル（以下、送信画像ファイル）を、ＬＡＮアダプタ３０４とＦＡＸサーバ１０８のＬＡＮアダプタ２０４とを介して、ＦＡＸサーバ１０８に備えられた送信予約フォルダ１２１に送信する。
【００２９】
ＦＡＸサーバ１０８において常時起動しているＱＲコード認識アプリケーション１２２は、送信予約フォルダ１２１を定期的に監視し、送信画像ファイルが格納（記憶）されたことを検知した時点で、送信画像ファイルの裏面に配置されたＱＲコードを認識し、認識した結果を記憶したＱＲコード認識結果一覧（図１４及び図１５参照）をＱＲコード認識結果出力フォルダ１２４に出力する。
【００３０】
そして、常時起動しているＱＲコード認識結果判定アプリケーション１２６は、ＱＲコード認識結果出力フォルダ１２４を定期的に監視し、ＱＲコード認識結果一覧が出力されたことを検知した時点で、ＱＲコード認識結果一覧を読み込み、送信可能か否かを判定し、送信可能と判定した場合は、送信フォルダ１２８に送信画像ファイルを移動させると共に、送信画像ファイルのファイル名（記憶先を含む）及び送信先ＦＡＸ番号を記述したテキストファイル（以下、送信属性ファイル。図１７参照）を送信フォルダ１２８に格納（記憶）する。
【００３１】
この時、送信画像ファイルの裏面のデータは削除する。送信不可の場合は、エラーフォルダ１３０に送信画像ファイルを移動する。ＦＡＸサーバ１０８において常時起動しているＦＡＸ送信アプリケーション１３２は、送信フォルダ１２８を定期的に監視し、送信属性ファイルが格納（記憶）された事を検知した時点で、送信属性ファイルに記述されている送信対象複合機１７０３に、送信属性ファイルに記述されている送信画像ファイル１７０２に記載されている記憶先の送信画像ファイルを取得し、ＦＡＸドライバ１３４を介して、複合機１０２からＦＡＸ送信する。
【００３２】
図３は、ＦＡＸサーバ１０８のハードウェアの概略構成を示すブロック図である。図に示すようにＦＡＸサーバ１０８は、ＣＰＵ２０１、ＲＡＭ２０２、ＲＯＭ２０３、ＬＡＮアダプタ２０４、ビデオアダプタ２０５、キーボード２０６、マウス２０７等のポインティングデバイス、ハードディスク２０８、及び記憶媒体２０９を備え、これらがシステムバス２００を介して互いに接続されており、相互に制御信号を送受信している。
【００３３】
ＲＡＭ２０２は、ＣＰＵ２０１の主メモリ、ワークエリア等として機能する。ＣＰＵ２０１は、処理の実行に際して必要なプログラム等をＲＡＭ２０２にロードして、プログラムを実行することで各種動作を実現するものである
【００３４】
ＲＯＭ２０３あるいはハードディスク２０８には、ＣＰＵ２０１の制御プログラムであるＢＩＯＳ(Basic Input / Output System)やＯＳや各種アプリケーションの保存の他にＦＡＸ受信データ及びＦＡＸ送信データ、ＦＡＸデータを管理する管理情報、ＱＲコード認識処理に必要な情報が記憶されている。
【００３５】
ＬＡＮアダプタ２０４は、ネットワークを介して、外部機器と接続・通信するものであり、ネットワークでの通信制御処理を実行する。例えば、ＴＣＰ／ＩＰを用いたインターネット通信等が可能である。
【００３６】
また、ビデオアダプタ２０５は、不図示のディスプレイ等の表示機への接続を可能としており、キーボード２０６やマウス２０７等のポイントデバイスからの入力を受付、ＦＡＸサーバ１０８に対して指示命令等を実行する。
【００３７】
記憶媒体２０９は、ブートプログラム、ブラウザソフトウエア、各種のアプリケーション、フォントデータ、ユーザファイル、編集ファイル、各種データ等を記憶するハードディスク（HDD）やフロッピーディスク（登録商標  ＦＤ）或いはＰＣＭＣＩＡカードスロットにアダプタを介して接続されるコンパクトフラッシュメモリ等の外部メモリを表わしている。
【００３８】
図４は、複合機１０２のハードウェアの概略構成を示すブロック図である。図に示すように、複合機１０２は、ＦＡＸサーバ１０８と同様にシステムバス３００、ＣＰＵ３０１、ＲＡＭ３０２、ＲＯＭ３０３、ＬＡＮアダプタ３０４、及びハードディスク３０８を有している。尚、ＦＡＸサーバ１０８と同様な機能を有しているため説明は、省略する。
【００３９】
また、複合機１０２は、液晶パネル＆Ｉ／Ｆ３０５、通信回線Ｉ／Ｆ３０６、スキャンエンジン３０７、及びプリントエンジン３０９を有している。
【００４０】
液晶パネル＆Ｉ／Ｆ３０５は、タッチパネルを含み、表示機能及びデータ入力機能を有しており、通信回線Ｉ／Ｆ３０６は、電話回線とのインターフェイスを司る。
【００４１】
スキャンエンジン３０７は、帳票等の原稿を光学的に読取り、デジタル画像データに変換して入力し、プリントエンジン３０９は、スキャンエンジン３０７から入力されたデータ及び外部から受信したＦＡＸデータ等を紙に印刷する。
【００４２】
複合機１０２のハードディスク３０８には、システムプログラム等の他に、ＦＡＸサーバ１０８へＦＡＸデータを送信するための送信プログラムが記憶されている。また、ＦＡＸデータを送信するための管理情報等も記憶されている。
【００４３】
尚、ＣＰＵ３０１、ＲＡＭ３０２、ＲＯＭ３０３、ＬＡＮアダプタ３０４、液晶パネル＆Ｉ／Ｆ３０５、通信回線Ｉ／Ｆ３０６、スキャンエンジン３０７、ハードディスク３０８及びプリントエンジン３０９は、システムバス３００を介して接続されており、相互に制御信号の送受信を行っている。
【００４４】
図５には、本発明の実施形態に係る画像処理システムにおけるＦＡＸ受信時の処理を示すフローチャートが示されている。尚、本フローチャートにおけるステップＳ５００からステップＳ５０３、ステップＳ５１９、及びステップＳ５２０の各処理は、ＣＰＵ３０１の制御の下、処理が実行され、ステップＳ５０４からステップＳ５１８の各処理は、ＣＰＵ２０１の制御の下、実行されている。
【００４５】
代理店からＦＡＸ受信するデータの内容としては、送信状（申込書番号の一覧が書かれている）と必要事項が記入された申込書が複数枚のものが存在している。実際の業務としては、この受信した申込書に不備が無ければ、送信状に受領印を押して、代理店にこの送信状を返信する。一方、申込書に不備があった場合は、送信状のコメント欄にコメントを手書きで記述し、代理店にこの送信状を返信する。
【００４６】
ステップＳ５００では、ＦＡＸ受信部１０４において、ＦＡＸデータ１００を受信し、ステップＳ５０１では、ＦＡＸ受信部１０４において、ステップＳ５００で受信したＦＡＸデータ１００を電子データに変換を行って受信画像ファイルを生成し、Ｓ５０２では、ＦＡＸ受信部１０４において、送信元ＦＡＸ番号及び受信画像ファイルのファイル名（記憶先を含む）を記憶した受信属性ファイルを生成する。
【００４７】
次にステップＳ５０３では、ＦＡＸ受信データ送信部１０６によって、複合機１０２に予め宛先が登録されているＦＡＸサーバ１０８へ、ステップＳ５０１において生成した受信画像ファイルとステップＳ５０２において生成した受信属性ファイルとを送信する。
【００４８】
ステップＳ５０４では、ＦＡＸサーバ１０８は、Ｓ５０３において複合機１０２から送信された受信画像ファイル及び受信属性ファイルを、ＬＡＮアダプタ２０４を介して受信し、Ｓ５０５では、ステップＳ５０４において受信した受信画像ファイル及び受信属性ファイルをＦＡＸ受信データ保存フォルダ１１０に格納（記憶）する。尚、受信画像ファイルは、受信対象ファイル１６０２に記憶されている領域へ記憶する。
【００４９】
ステップＳ５０６では、印刷アプリケーション１１２によって、受信画像ファイル及び受信属性ファイルがＦＡＸ受信データ保存フォルダ１１０に格納（記憶）されたことを検知した時点で（ＯＳからのイベント通知等によって検知）受信属性ファイルを読み込み、送信元ＦＡＸ番号１６０１を取得する。
【００５０】
ステップＳ５０７では、ステップＳ５０６において取得した送信元ＦＡＸ番号１６０１と代理店マスタ（図１８参照）に登録されているＦＡＸ番号１８０２とを比較して、一致するＦＡＸ番号１８０２が存在する場合は、ステップＳ５０８へ処理を進め、一致するＦＡＸ番号１８０２が存在しない場合は、ステップＳ５１４へ処理を進める。
【００５１】
ステップＳ５０８では、ステップＳ５０６で取得した受信属性ファイルの受信対象ファイル１６０２に記載された記憶先情報に基づいて、全ページ分の受信画像ファイルを表面画像データとしてＦＡＸ受信データ保存フォルダ１１０から取得する。次にＳ５０９では、裏面テンプレートイメージ１９００（図１９参照）を取得する。
【００５２】
ステップＳ５１０では、ステップＳ５０６で取得した送信元ＦＡＸ番号１６０１に該当するＦＡＸ番号１８０２に対応する代理店名１８０１を代理店マスタから取得し、ステップＳ５１１では、裏面画像データを生成する。具体的には、ステップＳ５０９において取得した裏面テンプレートイメージ１９００の代理店名欄１９０１に代理店名１８０１をＦＡＸ番号欄１９０２に送信元ＦＡＸ番号１６０１をオーバレイ（合成）する。尚。オーバーレイ後イメージ１９０３に、オーバーレイ後のイメージを示している。
【００５３】
更に、裏面テンプレートイメージ１９００には、ＱＲコード１９０６からＱＲコード１９０９に示すようにＱＲコードをオーバーレイする。尚、ＱＲコードに含まれる情報としては、図１１に示す各項目が含まれている。
【００５４】
それぞれの項目について以下に説明する。図１１に示すＭＹＰＯＳ１１０１の項目は、送信状の送信方向に対するＱＲコードの印字位置に応じた値が記憶されている。この値は、図１２に示すＱＲコード印字位置テーブルに記憶されている位置情報１２０１に対する値１２０２が設定される。尚、ＱＲコード印字位置テーブルには、送信状の送信方向に対するＱＲコードの印字位置を右上とした場合、「０００１」を示す値を、左下とした場合、「００１０」を示す値が記憶されている。
【００５５】
具体的には、例えば、送信状の送信方向に対して右上に印字されるＱＲコードについては、ＭＹＰＯＳ１１０１に「０００１」を設定する。また、送信状の送信方向に対して左上に印字されるＱＲコードについては、ＭＹＰＯＳ１１０１に「００１０」を設定する。
【００５６】
図１１に示すＮＯＥＲＲ１１０２の項目には、送信状の裏面に印字されたＱＲコード１９０６からＱＲコード１９０９の読取エラーが発生しても送信状を送付しても問題無い位置情報を設定する。
【００５７】
本例では、ＦＡＸ受信した申込書に対して返信する際に、送信状の送信方向に対して上端に印字されたヘッダ情報が欠けても問題ないので、送信状の送信方向に対して右上と左上が欠けても問題無い。
【００５８】
したがって、全てのＱＲコード（ＱＲコード１９０６からＱＲコード１９０９）にＱＲコードエラー除外情報テーブル（図１３参照）のエラー除外情報１３０１として右上及び左上を示す値１３０２の「００１１」を設定する。
【００５９】
尚、ＱＲコードエラー除外情報テーブルには、送信上の裏面に印字されたＱＲコードの読取エラーが発生した場合でも、問題としない位置情報が設定されている。
【００６０】
例えば、ＱＲコード１９０６（左上に印字）の読取エラーが発生したとしても、問題としない場合は、ＱＲコードエラー除外情報テーブルのエラー除外情報１３０１の左上を示す値１３０２は、「００１０」であるため、ＮＯＥＲＲ１１０２の項目には、「００１０」を設定する。
【００６１】
また、ＱＲコード１９０６及びＱＲコード１９０８（左上及び左下に印字）の読取エラーが発生したとしても、問題としない場合は、ＱＲコードエラー除外情報テーブルのエラー除外情報１３０１の左上及び左下を示す値１３０２は、「１０１０」であるため、ＮＯＥＲＲ１１０２の項目には、「１０１０」を設定する。
【００６２】
図１１に示すＦＡＸＮＯ１１０３には、送信状を送信する送信先のＦＡＸ番号を設定しており、ステップＳ５０６で取得した送信元ＦＡＸ番号を設定している。
【００６３】
前述に於いて、送信状のヘッダ情報に着目しているが、帳票等の送信を行うに当たり、帳票等の種別を自動的に認識し、イメージが欠けても問題無い位置を動的に切り替えて印字する運用も可能である。
【００６４】
この場合、ＱＲコード印字位置テーブル及びＱＲコードエラー除外情報テーブルに、帳票を一意に識別するための情報を追加し、ステップＳ５０２において、受信属性ファイルへ受信したＦＡＸデータ１００の種別（帳票を一意に識別するための情報）を含めて、ＦＡＸサーバ１０８へ送信した後、受信属性ファイルに含まれるＦＡＸデータ１００の種別に関する情報をＱＲコードに含めるような態様を取っても良い。
【００６５】
ステップＳ５１２では、予め出力用にＦＡＸサーバ１０８に作成された複合機１０２における印刷方法の設定を両面印刷に変更する。具体的にはプリンタの各種設定を保持するＤＥＶＭＯＤＥの設定を変更する。
【００６６】
ステップＳ５１３では、ステップＳ５０８で取得した表面画像データとステップＳ５１１で生成した裏面画像データを合わせて出力する。具体的には表面と裏面の画像データをＯＳ経由でプリンタドライバ１１６に対して出力することを意味する。
【００６７】
ステップＳ５１４では、全ページ分の受信画像ファイルを表面画像データとしてＦＡＸ受信データ保存フォルダ１１０から取得する。そして、ステップＳ５１５では、予め出力用にＦＡＸサーバ１０８に作成された複合機１０２における印刷方法の設定を片面印刷に変更する。具体的にはプリンタの各種設定を保持するＤＥＶＭＯＤＥの設定を変更する。
【００６８】
ステップＳ５１６では、ステップＳ５１４において取得した表面画像データを出力する。具体的には表面画像データをＯＳ経由でプリンタドライバ１１６に対して出力することを意味する。  
【００６９】
ステップＳ５１７では、プリンタドライバ１１６によって、ステップＳ５１３あるいはステップＳ５１６において出力指示された画像データに基づいて、片面設定あるいは両面設定のＰＤＬ（Page Description Language）が生成され、ステップＳ５１８では、プリンタドライバ１１６によって、ステップＳ５１８において生成されたＰＤＬを印刷データとして複合機１０２へ送信する。
【００７０】
Ｓ５１９では、複合機１０２にてステップＳ５１８において送信された印刷データを受信し、Ｓ５２０では、ステップＳ５１９において受信した印刷データを複合機１０２から紙文書１１７として印刷出力する。
【００７１】
尚、ステップＳ５０６からステップＳ５１６までの各処理ステップは、印刷アプリケーション１１２において実行されている。
【００７２】
その後、出力された紙文書１１７は、人手によりＦＡＸ受信した申込書の入力を行った後、出力された紙文書から送信状だけを取り出し、送信状のＦＡＸ受信面に受領印の押印やコメントを記入後、この記入済みの送信状を代理店へＦＡＸ返信する。
【００７３】
図６には、受領印の押印及びコメント記入済の送信状を代理店へＦＡＸ送信する処理を示すフローチャートが示されている。尚、本フローチャートにおけるステップＳ６００からステップＳ６０２、及びステップＳ６１４の各処理は、ＣＰＵ３０１の制御の下、処理が実行され、ステップＳ６０４からステップＳ６１３の各処理は、ＣＰＵ２０１の制御の下、実行されている。
【００７４】
ステップＳ６００では、複合機１０２のスキャナ１１８によって紙文書１１７の両面をスキャンして、次のステップＳ６０１では、入力処理部１２０によって、ステップＳ６００においてスキャンして得られた電子データを送信画像ファイルとして生成し、Ｓ６０３では、入力処理部１２０によって、ＬＡＮアダプタ３０４を介して、送信画像ファイルをＦＡＸサーバ１０８へ送信し、ステップＳ６０３では、送信された送信画像ファイルを受信して、ステップＳ６０４では、受信した送信画像ファイルを送信予約フォルダ１２１へ格納（記憶）する。
【００７５】
ステップＳ６０５では、ＱＲコード認識アプリケーション１２２によって、送信予約フォルダ１２１を定期的に監視し、送信画像ファイルが存在するか否かを判定し、存在する場合は、ステップＳ６０６へ処理を進める。
【００７６】
ステップＳ６０６では、ＱＲコード認識アプリケーション１２２は、送信予約フォルダ１２１から送信画像ファイルを取得し、次のステップＳ６０７では、送信画像ファイルの代理店へのＦＡＸ送信可否を判定する。尚、詳細な処理内容については、図７に示すフローチャートを用いて説明する。
【００７７】
ステップＳ６０８では、ＦＡＸ送信アプリケーション１３２によって、送信フォルダ１２８を定期的に監視し、送信属性ファイルが格納（記憶）されたか否かを判定し、格納（記憶）されたと判定した場合は、ステップＳ６０９へ処理を進める。
【００７８】
ステップＳ６０９では、ＦＡＸ送信アプリケーション１３２によって、送信フォルダ１２８に記憶された送信属性ファイルの送信画像ファイル１７０２に記憶された記憶先情報に基づいて、送信画像ファイルを取得する。
【００７９】
次のステップＳ６１０では、ＦＡＸ送信アプリケーション１３２は、送信属性ファイルに記述されている送信対象複合機１７０３に記憶された複合機１０２のＦＡＸ番号１７０１を指定し、ＦＡＸ送信用データを生成する。
【００８０】
具体的にはＦＡＸドライバ１３４の各種送信先設定を保持するＤＥＶＭＯＤＥと中間ファイルの設定を変更し、送信画像ファイルをＯＳ経由でＦＡＸドライバ１３４に対して出力することを意味する。
【００８１】
その後、ステップＳ６１１では、ＦＡＸドライバ１３４によって、ステップＳ６１０で生成されたＦＡＸ送信用データからＰＤＬが生成され、ステップＳ６１２では、ＦＡＸドライバ１３４によって、ステップＳ６１１で生成したＰＤＬをＦＡＸデータとして複合機１０２に送信する。
【００８２】
ステップＳ６１３では、プログラムの終了命令があった場合は、プログラムを終了し、プログラムの終了命令が無い場合は、ステップＳ６０５へ処理を戻す。
【００８３】
ステップＳ６１４では、ステップＳ６１２において送信されたＦＡＸデータを受信する。
【００８４】
尚、本例では裏面に印字されたＱＲコードを認識し、表面をＦＡＸ送信するが、表面にＱＲコードが同様の仕様で印字されている帳票であれば表面のＱＲコードを認識し、表面をＦＡＸ送信する運用も可能である。
【００８５】
図７には、裏面画像データに配置されたＱＲコードをＯＣＲ認識して、ＦＡＸ送信の可否を判定する処理を示すフローチャートである。尚、本フローチャートにおける各処理は、ＣＰＵ２０１の制御の下、処理が実行されている。
【００８６】
ステップＳ７００では、ＱＲコード認識アプリケーション１２２によって、図６に示すステップＳ６０６において取得した送信画像ファイルの裏面画像データに配置された全てのＱＲコードを解析し、ステップＳ７０１では、ＱＲコード認識アプリケーション１２２によって、解析した結果をＱＲコード認識結果一覧（図１４あるいは図１５参照）としてＱＲコード認識結果出力フォルダ１２４に格納（記憶）する。
【００８７】
例えば、全てのＱＲコードにＭＹＰＯＳ１１０１に０００１、ＮＯＥＲＲ１１０２に００１１、ＦＡＸＮＯ１１０３に０３３４５５１１１１が設定されていることを想定すると、全てのＱＲコードを解析した結果、読取エラーが発生しない場合、図１４に示すＱＲコード認識結果一覧が作成され、送信状の送信方向に対して右上に配置されたＱＲコード１９０７（図１９参照）を解析した場合、ＱＲコード認識結果一覧の情報１４０１の右上のＱＲコードのＮＯＥＲＲに対応する値１４０２にＮＯＥＲＲ１１０２の００１１が記憶され、情報１４０１の右上のＱＲコードのＦＡＸＮＯ値に対応する値１４０２にＦＡＸＮＯ１１０３の０３３４５５１１１１が記憶される。
【００８８】
また、読取エラーが発生した場合は、図１５に示すＱＲコード認識結果一覧が作成され、送信状の送信方向に対して右上に配置されたＱＲコード１９０７（図１９参照）が読み取れない場合は、図１５の上段に示すＱＲコード認識結果一覧の情報１５０１の右上のＱＲコードのＮＯＥＲＲに対応する値１５０２にエラーが発生した旨を示す情報を記憶し、情報１５０１の右上のＱＲコードのＦＡＸＮＯ値に対応する値１５０２に同様にエラーが発生した旨を示す情報を記憶する。
【００８９】
つまり、解析を行ったＱＲコードの位置に応じて、読取エラーが発生しない場合は、ＱＲコード認識結果一覧の情報及び値に、ＱＲコードに含まれるＮＯＥＲＲ１１０２及びＦＡＸＮＯ１１０３に記憶されている情報を記憶し、読取エラーが発生している場合は、ＱＲコード認識結果一覧の情報及び値にエラーが発生した旨を示す情報を記憶する。
【００９０】
次にステップＳ７０２では、ＱＲコード認識結果判定アプリケーション１２６によって、ＱＲコード認識結果出力フォルダ１２４に格納（記憶）されたＱＲコード認識結果一覧の値（図１４に示す値１４０２、図１５に示す値１５０２）を参照することで、読取可となったＱＲコードが１つでも存在するか否かを判定し、読取可となったＱＲコードが存在する場合は、ステップＳ７０４へ処理を進め、存在しない場合は、ステップＳ７１０へ処理を進める。
【００９１】
ステップＳ７０４では、ＱＲコード認識結果判定アプリケーション１２６によって、ＱＲコード認識結果一覧に記憶された情報（図１４に示す情報１４０１、図１５に示す情報１５０１）及び値（値（図１４に示す値１４０２、図１５に示す値１５０２）に記憶されたＦＡＸ番号及びエラー除外情報が全て同一か否かの判定を行う。但し、エラーが発生した旨を示す情報については、当判定の対象から除く。
【００９２】
ステップＳ７０５では、ＱＲコード認識結果判定アプリケーション１２６によって、ステップＳ７０４において全て同一であると判定した場合は、ステップＳ７０６へ処理を進め、全て同一であると判定しない場合は、ステップＳ７１０へ処理を進める。
【００９３】
ステップＳ７０６では、ＱＲコード認識結果判定アプリケーション１２６によって、ステップＳ７０５におけるＦＡＸ番号及びエラー除外情報を確定情報として決定する。
【００９４】
ステップＳ７０７では、ＱＲコード認識結果判定アプリケーション１２６によって、送信可能か否かを判定し、送信可能であると判定した場合は、ステップＳ７０８へ処理を進め、送信可能であると判定しない場合は、ステップＳ７１０へ処理を進める。
【００９５】
本ステップにおける送信可能か否かの判定方法は、ＱＲコード認識結果一覧に記憶された情報（図１４に示す情報１４０１、図１５に示す情報１５０１）及び値（図１４に示す値１４０２、図１５に示す値１５０２）を用いて、読取エラーが発生しているＱＲコードの位置を特定し、特定されたＱＲコードが、ＱＲコードに含まれるＮＯＥＲＲ１１０２に設定されたエラー除外情報を満たすか否かを判定する。
【００９６】
例えば、図１５の上段に示すＱＲコード認識結果一覧であれば、右上及び左上のＱＲコードが読取エラーとなっているが、右下あるいは左下のＱＲコードの情報１５０１のＮＯＥＲＲの値１５０２に００１１が設定されており、この００１１は、右上及び左上のＱＲコードの読取エラーが発生した場合でも、送信を行う旨（図１３に示すＱＲコードエラー除外情報テーブルのエラー除外情報１３０１の右上及び左上に対応する値１３０２を参照）を示しており、本ステップでは、送信可能と判定される（図８参照）。
【００９７】
図１５の下段に示すＱＲコード認識結果一覧であれば、右下及び左下のＱＲコードが読取エラーとなり、右上あるいは左上のＱＲコードの情報１５０１のＮＯＥＲＲの値１５０２に００１１が設定されており、この００１１は、右上及び左上のＱＲコードの読取エラーが発生した場合でも、送信を行う旨（図１３に示すＱＲコードエラー除外情報テーブルのエラー除外情報１３０１の右上及び左上に対応する値１３０２を参照）を示しており、本例では、右下及び左下のＱＲコードが読取エラーとなっているため、本ステップでは、送信不可と判定される（図９参照）。
【００９８】
ステップＳ７０８では、ＱＲコード認識結果判定アプリケーション１２６によって、ステップＳ７０６において確定されたＦＡＸ番号が代理店マスタの１８０２に存在するかどうかを判定し、存在すると判定した場合は、ステップＳ７０９へ処理を進め、存在すると判定しない場合は、ステップＳ７１０へ処理を進める。
【００９９】
ステップＳ７０９では、ＱＲコード認識結果判定アプリケーション１２６によって、送信予約フォルダ１２１に記憶された送信画像ファイルを送信フォルダ１２８に移動させ、更に送信属性ファイルを送信フォルダ１２８に作成する。
【０１００】
このとき、ＦＡＸ番号１７０１にはＳ７０６において確定したＦＡＸ番号を、送信画像ファイル１７０２には、送信フォルダ１２８に移動させた送信画像ファイル名（記憶先を含む）を、送信対象複合機には予め定義された送信対象複合機名を記憶する。
【０１０１】
本件では、送信対象複合機については固定であるが、このタイミングで複数の送信対象となる複合機のジョブ状況を確認し、負荷の少ない複合機を動的に記述する運用でも構わない。
【０１０２】
ステップＳ７１０では、送信予約フォルダ１２１内の送信画像ファイルをエラーフォルダ１３０に移動する。
【０１０３】
本発明によれば、ＦＡＸ送信時にスキャンされた帳票に対するＯＣＲ処理の結果、スキャナに対する帳票の方向について、多少のズレや斜行が発生した場合でも、多少のズレや斜行が発生した位置に応じて送信可否を判定した結果に基づいてＦＡＸ送信を行うことで、ユーザのＦＡＸ送信時の作業負担を軽減することが可能となる。
【０１０４】
以上、実施形態例を詳述したが、本発明は、例えば、方法、プログラムもしくは記憶媒体等としての実施態様をとることが可能であり、具体的には、複数の機器から構成されるシステムに適用しても良いし、また、一つの機器からなる装置に適用しても良い。また、本発明におけるプログラムは、各処理方法をコンピュータが実行可能（読取可能）なプログラムであり、本発明の記憶媒体は、各処理方法をコンピュータが実行可能なプログラムが記憶されている。
【０１０５】
なお、本発明におけるプログラムは、各装置の処理方法ごとのプログラムであってもよい。
【０１０６】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読取り実行することによっても、本発明の目的が達成されることは言うまでもない。
【０１０７】
この場合、記録媒体から読み出されたプログラム自体が本発明の新規な機能を実現することになり、そのプログラムを記憶した記録媒体は本発明を構成することになる。
【０１０８】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１０９】
また、コンピュータが読み出したプログラムを実行することにより、前述した実施形態の機能が実現されるだけでなく、そのプログラムの指示に基づき、コンピュータで稼働しているＯＳ等が実際の処理の一部または全部を行い、その処理によって前述した実施形態の機能が実現される場合も含まれることは言うまでもない。
【０１１０】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１１１】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１１２】
さらに、本発明を達成するためのプログラムをネットワーク上のサーバ，データベース等から通信プログラムによりダウンロードして読み出すことによって、そのシステム、あるいは装置が、本発明の効果を享受することが可能となる。なお、上述した各実施形態およびその変形例を組み合わせた構成も全て本発明に含まれるものである。
【符号の説明】
【０１１３】
１０２    複合機
１０８    ＦＡＸサーバ
２００    システムバス
２０１    ＣＰＵ
２０２    ＲＡＭ
２０３    ＲＯＭ
２０４    ＬＡＮアダプタ
２０５    ビデオアダプタ
２０６    キーボード
２０７    マウス
２０８    ハードディスク
２０９    記憶媒体
３００    システムバス
３０１    ＣＰＵ
３０２    ＲＡＭ
３０３    ＲＯＭ
３０４    ＬＡＮアダプタ
３０５    液晶パネル＆Ｉ／Ｆ
３０６    通信回線Ｉ／Ｆ
３０７    スキャンエンジン
３０８    ハードディスク
３０９    プリントエンジン
【図１】
2012105148.tif 000003
【図２】
2012105148.tif 000004
【図３】
2012105148.tif 000005
【図４】
2012105148.tif 000006
【図５】
2012105148.tif 000007
【図６】
2012105148.tif 000008
【図７】
2012105148.tif 000009
【図８】
2012105148.tif 000010
【図９】
2012105148.tif 000011
【図１０】
2012105148.tif 000012
【図１１】
2012105148.tif 000013
【図１２】
2012105148.tif 000014
【図１３】
2012105148.tif 000015
【図１４】
2012105148.tif 000016
【図１５】
2012105148.tif 000017
【図１６】
2012105148.tif 000018
【図１７】
2012105148.tif 000019
【図１８】
2012105148.tif 000020
【図１９】
2012105148.tif 000021